(57)【要約】【課題】室内から振動音源自体が直視されることがなくて意匠性に優れるとともに、室内全体を均一に照明でき、しかも、振動音源から室内に向けて十分な音量を発生することが可能な音響照明器具を提供する。【解決手段】取付面１の開口部１１に臨んでランプを備えた灯具本体２が設けられるとともに、この灯具本体２の光照射側の開口面を覆って前面パネル３が設けられ、また取付面１の開口部１１の周縁部には前面パネル３を支持する支持枠４が取り付けられ、前面パネル３と支持枠４との間に囲まれた内部に振動音源６が配設されている。【選択図】図１
2010129183.tif 000002
【特許請求の範囲】
【請求項１】
取付面の開口部に臨んでランプを備えた灯具本体が設けられるとともに、この灯具本体の光照射側の開口面を覆って前面パネルが設けられ、また前記取付面の開口部の周縁部には前記前面パネルを支持する支持枠が取り付けられ、前記前面パネルと前記支持枠との間に囲まれた内部に振動音源が配設されていることを特徴とする音響照明器具。
【発明の詳細な説明】
【技術分野】
【０００１】
本発明は、音響照明器具に関するものである。
【背景技術】
【０００２】
一般に、埋込式の照明器具は、例えば天井の取付面に形成された開口部に天井裏側から室内側に臨むように配置される灯具本体を備え、この灯具本体はランプが装着されるソケット部を備えるとともに、ランプからの光を反射する反射板が設けられている。また、この灯具本体の光照射側の開口面を覆って前面パネルが設けられている。さらに、取付面の開口部の周縁部には前面パネルを支持する支持枠が取り付けられている。
【０００３】
ところで、照明器具が取り付けられ天井面には、照明器具とともに各種防災用の報知器（例えば火災報知器）が設置される場合や、照明器具とともにリラクゼーション効果をねらって音楽等を流すスピーカが設置される場合がある。
【０００４】
また、従来技術では、照明器具とスピーカとを組み合わせ、スピーカを中心に据えて、スピーカの周りを取り囲むようにＬＥＤ等の点光源を配置した構成の音響照明器具も提案されている（例えば、下記の特許文献１、２参照）。
【特許文献１】特開２００８−１９３１８９号公報
【特許文献２】特開２００８−０４８３１０号公報
【発明の開示】
【発明が解決しようとする課題】
【０００５】
しかし、前者のように、天井面に照明器具とともに各種報知器を設置する場合、従来は、照明器具と報知器とは単に天井の別々の箇所に取り付けた状態となっており、見栄えが悪くて意匠性に欠けるとともに、各機器に別々に電気配線を引き回す作業を行わねばならず、配線作業などにも手間がかかる。
【０００６】
また、後者の特許文献１、２記載の従来技術の場合には、スピーカの周りを取り囲むようにＬＥＤ等の点光源を配置した構成であるので、室内においてスポット的に照明を行う場合には適用できるものの、室内全体を均一に明るく照明することを主体にした照明器具を考える場合には適用し難い。すなわち、スピーカを機器の中心に据えてその周りに点光源を配置しているため、スピーカの設置部分が陰になって照明に対して干渉し、室内全体を均一に照明することが難しい。
【０００７】
本発明は、上記の課題を解決するためになされたもので、室内から振動音源自体が直視されることがなくて意匠性に優れるとともに、室内全体を均一に照明でき、しかも、振動音源から室内に向けて十分な音量を発生することができ、また、振動音源や照明器具の配線作業も一カ所で容易に行うことができる音響照明器具を提供することを目的とする。
【課題を解決するための手段】
【０００８】
上記の目的を達成するために、本発明の音響照明器具にあっては、取付面の開口部に臨んでランプを備えた灯具本体が設けられるとともに、この灯具本体の光照射側の開口面を覆って前面パネルが設けられ、また前記取付面の開口部の周縁部には前記前面パネルを支持する支持枠が取り付けられ、前記前面パネルと前記支持枠との間に囲まれた内部に振動音源が配設されていることを特徴としている。
【発明の効果】
【０００９】
本発明によれば、灯具本体の光照射側の開口面を覆う前面パネルと取付面の開口部の周縁部において前面パネルを支持する支持枠との間に囲まれた内部に振動音源が配設されているので、室内から振動音源自体が直視されることがなくて意匠性に優れている。また、灯具本体による照明に対して振動音源が干渉することがないので、室内全体を均一に照明することができる。
【００１０】
しかも、灯具本体の内部に振動音源を配置した場合には音が内部にこもって音量が本来の性能よりも小さくなる恐れがあるが、本発明では前面パネルよりも外側の室内側に振動音源が配置されているので、振動音源から室内に向けて十分な音量を発生することができる。
【００１１】
さらに、照明器具と振動音源とは略一体的に配置されているので、両者の配線作業も一カ所で容易に行うことができる。
【発明を実施するための最良の形態】
【００１２】
以下、本発明の実施の形態について、図面を参照して詳しく説明する。図１は本発明の実施の形態における音響照明器具の要部を示す縦断面図、図２は同照明器具の振動音源６の駆動系統図である。
【００１３】
この実施の形態の音響照明器具は、天井埋込式のもので、例えば天井の取付面１に形成された開口部１１に天井裏側から室内側に向けて臨むように配置される灯具本体２を備え、この灯具本体２は、ランプが装着されるソケット部２１を備えるとともに、ランプからの光を反射する反射板２２が設けられている。なお、灯具本体２は、平面視で四角形のものに限らず、円形のものであっても、他の形状のものであってもよく、ここでは特にその形状は限定されるものではない。
【００１４】
また、この灯具本体２の光照射側の開口面を覆って光透過性の半透明又は透明な前面パネル３が設けられている。さらに、取付面１の開口部１１の周縁部には前面パネル３を支持する支持枠４が取り付けられており、前面パネル３は支持枠４にゴム等の弾性体でできたパッキン５を介して固定されている。
【００１５】
そして、この実施の形態の特徴として、前面パネル３と支持枠４との間に囲まれた内部において、前面パネル３に密着して振動音源６が配設されている。この振動音源６としては、ここでは圧電素子の振動により音を発生する振動トランスデューサが適用されているが、これに限らず、例えば小型のスピーカを使用することも可能である。そして、図２に示すように、音声入力信号がアンプを介して増幅されて振動音源６に入力されることにより各種の音を発生する。この場合の音は、警告音、楽音、体感振動音、リラクゼーション音など、所要目的に応じた音を発するものであればよく、ここでは特に限定されるものではない。
【００１６】
このように、この実施の形態の音響照明器具は、灯具本体２の光照射側の開口面を覆う前面パネル３と取付面１の開口部１１の周縁部において前面パネル３を支持する支持枠４との間に囲まれた内部に振動音源６が配設されているので、室内から振動音源６自体が直視されることがなくて意匠性に優れている。また、灯具本体２による照明に対して振動音源６自体が干渉することがないので、室内全体を均一に照明することができる。
【００１７】
また、前面パネル３は支持枠４にパッキン５を介して固定されているので、前面パネル３に密着された振動音源６が振動しても、前面パネル３と支持枠４との間で異音（びびり音）が生じるのが防止される。また、振動音源６は、前面パネル３よりも外側の室内側に配置されているので、振動音源６から室内に向けて十分な音量を発生することができる。その際、灯具本体２と前面パネル３とで囲まれた空間が共鳴箱の役割を果たし、露出面である前面パネル３を振動させることにより、きれいな音響が得られる。
【００１８】
さらに、照明器具と振動音源６とは略一体的に配置されているので、両者の配線作業も一カ所で容易に行うことができる。なお、上記では音響照明器具を天井面に取り付ける例で説明したが、壁面等に取り付ける場合であっても同様であり、取付面とは、天井面、壁面等の主として室内側の面をいう。
【図面の簡単な説明】
【００１９】
【図１】本発明の実施の形態における音響照明器具の要部を示す縦断面図である。
【図２】同照明器具の振動音源の駆動系統図である。
【符号の説明】
【００２０】
１    取付面
１１  開口部
２    灯具本体
３    前面パネル
４    支持枠
６    振動音源
【図１】
2010129183.tif 000003
【図２】
2010129183.tif 000004